(57)【要約】【課題】第１記録媒体を格納するカートリッジが、その第１記録媒体についての管理情報を有しない記録媒体チェンジャシステムに装着された場合、その記録媒体チェンジャシステムではカートリッジに格納された第１記録媒体に対して記録再生動作を迅速に行うことができない。【解決手段】カートリッジに格納される第１記録媒体の管理情報を、第１記録媒体とともにカートリッジに格納される第２記録媒体に記録する。第２記録媒体の管理情報を、カートリッジに設けられた第３記録媒体に記録する。記録媒体チェンジャシステムの管理ソフトは、第３記録媒体に記録された第２記録媒体の管理情報に基づいて、第２記録媒体にアクセスし、第２記録媒体に記録された第１記録媒体の管理情報によって第４記録媒体に記録されている第１記録媒体の管理情報を更新する。【選択図】図１
2008299883.tif 000002
【特許請求の範囲】
【請求項１】
記録媒体に情報の記録又は再生を行う手段と、記録又は再生される記録媒体を交換する交換機構とを有するチェンジャ装置と、チェンジャ装置を制御する制御手段とからなる記録媒体チェンジャシステムにおいて、
チェンジャ装置は、第１記録媒体と、
第１記録媒体の管理情報が記録される第２記録媒体と、
第１記録媒体及び第２記録媒体を格納するカートリッジと、
カートリッジに設けられ、カートリッジの管理情報、第２記録媒体識別情報を含む第２記録媒体の管理情報が記録された第３記録媒体とを備え、
制御手段は、カートリッジ及び第１記録媒体の管理情報が記録される第４記録媒体と、
第３記録媒体に記録されているカートリッジの管理情報及び第２記録媒体の管理情報を用いて、第４記録媒体に記録されている第１記録媒体の管理情報を、第２記録媒体に記録されている第１記録媒体の管理情報によって更新する更新手段とを備えることを特徴とする記録媒体チェンジャシステム。
【請求項２】
第３記録媒体に記録されるカートリッジの管理情報は、第３記録媒体が設けられているカートリッジの識別情報と、そのカートリッジの更新履歴情報とを含み、第４記録媒体に記録されるカートリッジの管理情報は、記録媒体チェンジャシステムにおいて管理されるカートリッジの識別情報と、そのカートリッジの更新履歴情報とを含む請求項１に記載の記録媒体チェンジャシステム。
【請求項３】
前記チェンジャ装置は、第１記録媒体及び第２記録媒体に記録再生を行う第１記録再生手段と、第３記録媒体に記録再生を行う第３記録再生手段とを備え、前記制御手段は、第４記録媒体に記録再生を行う第４記録再生手段を備える請求項１又は２に記載の記録媒体チェンジャシステム。
【請求項４】
前記更新手段は、第３記録媒体に記録されているカートリッジの管理情報と、第４記録媒体に記録されているカートリッジの管理情報とを比較する比較手段をさらに備える請求項１〜３の何れか一項に記載の記録媒体チェンジャシステム。
【請求項５】
前記比較手段により、第３記録媒体に記録されているカートリッジの識別情報と、第４記録媒体に記録されているカートリッジの識別情報とが異なると判断された場合、第４記録再生手段は、第２記録媒体に記録されている第１記録媒体の管理情報を第４記録媒体に記録する請求項４に記載の記録媒体チェンジャシステム。
【請求項６】
前記比較手段により、第４記録媒体に記録されているカートリッジの更新履歴情報が、第３記録媒体に記録されているカートリッジの更新履歴情報よりも古いと判断された場合、第４記録再生手段は第４記録媒体に記録されている第１記録媒体の管理情報を、第２記録媒体に記録されている第１記録媒体の管理情報によって書き換える請求項４に記載の記録媒体チェンジャシステム。
【請求項７】
第１記録再生手段によって第１記録媒体に記録が行われると、第４記録再生手段が、第４記録媒体に対しカートリッジの更新履歴情報及び第１記録媒体の管理情報を記録するとともに、第１記録再生手段が、第２記録媒体に対し第１記録媒体の管理情報を記録する請求項３に記載の記録媒体チェンジャシステム。
【請求項８】
第３記録媒体に記録される第２記録媒体の管理情報は、第２記録媒体の識別情報と、第２記録媒体における管理情報のアドレスを含み、第３記録再生手段は第３記録媒体に対し、第１記録媒体の管理情報が記録された第２記録媒体の識別情報、第２記録媒体における管理情報のアドレス、及びカートリッジの更新履歴情報を記録する請求項３に記載の記録媒体チェンジャシステム。
【請求項９】
第１記録媒体は光ディスクである請求項１〜８の何れか一項に記載の記録媒体チェンジャシステム。
【請求項１０】
第１記録媒体の管理情報は、第１記録媒体に記録されているファイルを識別するためのファイルＩＤ、ファイル名、当該ファイルが記録されている第１記録媒体の識別情報と当該第１記録媒体におけるアドレス、当該第１記録媒体が格納されているカートリッジ識別情報、及び当該ファイルの履歴情報を含む請求項１〜９の何れか一項に記載の記録媒体チェンジャシステム。
【請求項１１】
第３記録媒体は非接触で記録再生可能な半導体素子であり、第３記録再生手段は前記半導体素子と通信可能な通信手段をさらに備える請求項１〜１０の何れか一項に記載の記録媒体チェンジャシステム。
【請求項１２】
第３記録媒体は書き換え可能な記録媒体である請求項１〜１１の何れか一項に記載の記録媒体チェンジャシステム。
【請求項１３】
前記カートリッジには複数の第１記録媒体が格納される請求項１〜１２の何れか一項に記載の記録媒体チェンジャシステム。
【請求項１４】
前記カートリッジが複数装着される請求項１〜１３の何れか一項に記載の記録媒体チェンジャシステム。
【発明の詳細な説明】
【技術分野】
【０００１】
本発明は、例えば光ディスクのような記録媒体を複数収容するためのカートリッジから記録媒体を取り出して情報の記録再生を実行する記録媒体チェンジャシステムに関するものである。
【背景技術】
【０００２】
近年、光ディスクの分野では、光ディスクの記録密度を増大することが求められている。光ディスクの更なる高密度化を図るためには、面密度を高めるだけでなく、体積あたりの記録密度を高めることも必要とされる。一定の体積空間の中で記録密度を高めるためには光ディスク記録層の多層化を進めることも一つの方法である。例えば、ＤＶＤでは片面２層化が規格化され、ＨＤ ＤＶＤ（登録商標）やＢｌｕ−Ｒａｙ（登録商標）と称される青色レーザ記録ディスクでも実用化されている。この場合、機械特性を考慮して０．６ｍｍの厚みの基板が使用されているが、機械特性を確保することができれば、一層薄い光ディスクを実現することも可能となる。また光ディスクにおいては、ゴミや汚れ等から保護するために、慎重な取扱が要求される。そこで、光ディスクを取り扱うために、これを保護する筐体、すなわちカートリッジが用いられることがある。
【０００３】
一般に、１つのカートリッジには、１枚の光ディスクが格納されるが、１つのカートリッジに対して複数枚の光ディスクを格納することができれば、カートリッジ単位でまとめて扱うことにより、大容量記録媒体としての利用が期待できる。このようなカートリッジは、例えば、可換媒体としてバックアップやアーカイブといった用途に用いられる。特許文献１には、２個以上の可搬型記録媒体に対して同時に記録再生を行う２台以上の記録再生装置を持つアレイ装置において、可搬型記録媒体を記録再生装置に装填あるいは排出する際に、２個以上の可搬型記録媒体を一つの容器に納める構成が開示されている。
【０００４】
【特許文献１】特開２００２−３３４５３９
【発明の開示】
【発明が解決しようとする課題】
【０００５】
このようなカートリッジに格納される複数の光ディスクの情報に素早くアクセスするためには、そのカートリッジが装着される記録媒体チェンジャシステムにおいて、光ディスクにアクセスする前にそのカートリッジに格納される複数の光ディスクの管理情報が管理されている必要がある。一方で、リムーバブル媒体の特徴として、カートリッジが装着されていた記録媒体チェンジャシステムの故障や、ユーザの都合等により、他の記録媒体チェンジャシステムにおいてそのカートリッジを利用する必要が生じることがある。この場合、そのカートリッジに格納されている複数の光ディスクの管理情報が、他の記録媒体チェンジャシステムにおいて管理されている必要があり、管理されていたとしても最新の情報ではないとすると、他の記録媒体チェンジャシステムにおいては、そのカートリッジに格納されている複数の光ディスクにアクセスできないという問題が生じる。
【０００６】
本発明はこのような状況に鑑みてなされたものであり、カートリッジに格納されている複数の光ディスクの管理情報を持たない、又は最新の管理情報を持たない記録媒体チェンジャシステムにおいても、そのカートリッジに格納された複数の光ディスクの記録再生を迅速に行うことが可能な記録媒体チェンジャシステムを提供することを目的とする。
【課題を解決するための手段】
【０００７】
本発明の第１の態様に従えば、記録媒体に情報の記録又は再生を行う手段と、記録又は再生される記録媒体を交換する交換機構とを有するチェンジャ装置と、チェンジャ装置を制御する制御手段とからなる記録媒体チェンジャシステムであって、チェンジャ装置は、第１記録媒体と、第１記録媒体の管理情報が記録される第２記録媒体と、第１記録媒体及び第２記録媒体を格納するカートリッジと、カートリッジに設けられ、カートリッジの管理情報、第２記録媒体識別情報を含む第２記録媒体の管理情報が記録された第３記録媒体とを備え、制御手段は、カートリッジ及び第１記録媒体の管理情報が記録される第４記録媒体と、第３記録媒体に記録されているカートリッジの管理情報及び第２記録媒体の管理情報を用いて、第４記録媒体に記録されている第１記録媒体の管理情報を、第２記録媒体に記録されている第１記録媒体の管理情報によって更新する更新手段とを備えることを特徴とする記録媒体チェンジャシステムが提供される。
【０００８】
本発明の記録媒体チェンジャシステムにおいて、カートリッジに格納されている第１記録媒体の管理情報は、第４記録媒体だけではなく、そのカートリッジに格納されている第２記録媒体にも同一内容が記録される。また、第２記録媒体識別情報に関連した第２記録媒体の管理情報が第３記録媒体に記録されているので、記録媒体チェンジャシステムは、第３記録媒体に記録されている第２記録媒体の管理情報を読み取ることにより、第２記録媒体に容易にアクセスすることができる。さらに、記録媒体チェンジャシステムは、第４記録媒体に記録されている第１記録媒体の管理情報を、第２記録媒体に記録されている第１記録媒体の管理情報を反映して更新することができる。ここで「第４記録媒体に記録されている第１記録媒体の管理情報」には、第１記録媒体の管理情報が含まれていない場合、つまり第４記録媒体に第１記録媒体の管理情報が存在しない場合も含まれる。したがって、「第４記録媒体に記録されている第１記録媒体の管理情報を、第２記録媒体に記録されている第１記録媒体の管理情報によって更新する」とは、第４記録媒体に第１記録媒体の管理情報が存在しない場合、第２記録媒体に記録されている第１記録媒体の管理情報を、そのまま第４記録媒体に記録すること、及び第４記録媒体に第１記録媒体の管理情報が存在する場合、第２記録媒体に記録されている第１記録媒体の管理情報で、第４記録媒体に存在する第１記録媒体の管理情報を更新することを意味する。したがって、そのカートリッジが、そのカートリッジに含まれる第１記録媒体の管理情報を持たないか、若しくは持っている第１記録媒体の管理情報が最新の情報ではない記録媒体チェンジャシステムにおいて利用される場合であっても、その記録媒体チェンジャシステムは、そのカートリッジに設けられた第３記録媒体から第２記録媒体の管理情報を取得し、第２記録媒体にアクセスすることができる。さらに、第２記録媒体から第１記録媒体の管理情報を読み出して、その記録媒体チェンジャシステムに備えられた第４記録媒体に記録することができる。これにより、カートリッジに含まれる第１記録媒体の管理情報を持っていないか、若しくは持っている第１記録媒体の管理情報が最新の情報ではない記録媒体チェンジャシステムにおいても、そのカートリッジに格納される第１記録媒体において記録又は再生を実行することが可能となる。
【０００９】
本発明の記録媒体チェンジャシステムにおいて、第３記録媒体に記録されるカートリッジの管理情報は、第３記録媒体が設けられているカートリッジの識別情報と、そのカートリッジの更新履歴情報とを含んでもよく、第４記録媒体に記録されるカートリッジの管理情報は、記録媒体チェンジャシステムにおいて管理されるカートリッジの識別情報と、そのカートリッジの更新履歴情報とを含んでもよい。この場合、第３記録媒体にはカートリッジの識別情報が記録されており、記録媒体チェンジャシステムにおいて管理されているカートリッジの識別情報は、第４記録媒体に記録されている。したがって、記録媒体チェンジャシステムは、第３記録媒体に記録されているカートリッジの識別情報が、第４記録媒体に記録されているカートリッジ識別情報に含まれているか参照することにより、そのカートリッジが、記録媒体チェンジャシステムにおいて管理されているカートリッジであるか否かを判断することができる。さらに、そのカートリッジが記録媒体チェンジャシステムにおいて管理されているカートリッジであると判断された場合、第３記録媒体に記録されているカートリッジの更新履歴情報と、第４記録媒体に記録されているカートリッジの更新履歴情報とを比較することにより、第４記録媒体に記録されている第１記録媒体の管理情報と、そのカートリッジの第２記録媒体に記録されている第１記録媒体の管理情報とが同じかあるいはいずれが新しいかを判断することができる。
【００１０】
本発明の記録媒体チェンジャシステムにおいて、前記チェンジャ装置は、第１記録媒体及び第２記録媒体に記録又は再生を行う第１記録再生手段と、第３記録媒体に記録又は再生を行う第３記録再生手段とを備えてもよく、前記制御手段は、第４記録媒体に記録又は再生を行う第４記録再生手段を備えてもよい。この場合、記録媒体チェンジャシステムは、第１記録媒体、第３記録媒体、及び第４記録媒体に記録又は再生を行うことが可能となる。また、前記更新手段は、第３記録媒体に記録されているカートリッジの管理情報と、第４記録媒体に記録されているカートリッジの管理情報を比較する比較手段をさらに備えてもよい。この場合、比較手段により、第３記録媒体に記録されているカートリッジの管理情報と、第４記録媒体に記録されているカートリッジの管理情報とを比較し、そのカートリッジが記録媒体チェンジャシステムにおいて管理されているカートリッジか否かを判断することができる。さらに、第４記録媒体に記録されている第１記録媒体の管理情報と、そのカートリッジの第２記録媒体に記録されている第１記録媒体の管理情報とが同じかあるいはいずれが新しいかを判断することができる。
【００１１】
本発明の記録媒体チェンジャシステムにおいて、前記比較手段により、第３記録媒体に記録されているカートリッジの識別情報と、第４記録媒体に記録されているカートリッジの識別情報とが異なると判断された場合、第４記録再生手段は、第２記録媒体に記録されている第１記録媒体の管理情報を第４記録媒体に記録してもよい。この場合、そのカートリッジの識別情報が、第４記録媒体に記録されているカートリッジ識別情報と一致しなかったこととなり、そのカートリッジは記録媒体チェンジャシステムにおいて、管理されていないカートリッジであると判断される。つまり、そのカートリッジに含まれる第１記録媒体の管理情報は、記録媒体チェンジャシステムの第４記録媒体には記録されていないため、第２記録媒体に記録された第１記録媒体の管理情報が第４記録媒体に記録される。これにより、そのカートリッジに含まれる第１記録媒体の管理情報を有しない記録媒体チェンジャシステムにおいても、第４記録媒体に記録された第１記録媒体の管理情報に基づいて、第１記録媒体に記録再生を実行することができる。
【００１２】
本発明の記録媒体チェンジャシステムにおいて、前記比較手段により、第４記録媒体に記録されているカートリッジの更新履歴情報が、第３記録媒体に記録されているカートリッジの更新履歴情報よりも古いと判断された場合、第４記録再生手段は第４記録媒体に記録されている第１記録媒体の管理情報を、第２記録媒体に記録されている第１記録媒体の管理情報によって書き換えてもよい。この場合、そのカートリッジに含まれる第１記録媒体の管理情報は、記録媒体チェンジャシステムの第４記録媒体に記録されている第１記録媒体の管理情報よりも新しいため、第２記録媒体に記録された第１記録媒体の管理情報によって、第４記録媒体が更新される。これにより、そのカートリッジに含まれる第１記録媒体の古い管理情報しか有しない記録媒体チェンジャシステムにおいても、第４記録媒体において更新された第１記録媒体の管理情報に基づいて、第１記録媒体に記録再生を実行することができる。
【００１３】
本発明の記録媒体チェンジャシステムにおいて、第１記録再生手段によって第１記録媒体に記録が行われると、第４記録再生手段が、第４記録媒体に対しカートリッジの更新履歴情報及び第１記録媒体の管理情報を記録するとともに、第１記録再生手段が、第２記録媒体に対し第１記録媒体の管理情報を記録してもよい。この場合、記録媒体チェンジャシステムの第４記録媒体には、最新の第１記録媒体の管理情報が記録されるので、その記録媒体チェンジャシステムは、次回も第４記録媒体に記録された管理情報を用いることができる。また、第２記録媒体にも最新の第１記録媒体の管理情報が記録されるため、その第２記録媒体が格納されたカートリッジが、他の記録媒体チェンジャシステムにおいて利用される場合でも、他の記録媒体チェンジャシステムは、第２記録媒体に記録された最新の第１記録媒体の管理情報を使って、そのカートリッジに格納される複数の第１記録媒体に記録再生を実行することができる。
【００１４】
本発明の記録媒体チェンジャシステムにおいて、第３記録媒体に記録される第２記録媒体の管理情報は、第２記録媒体の識別情報と、第２記録媒体における管理情報のアドレスを含んでもよく、第３記録再生手段は第３記録媒体に対し、第１記録媒体の管理情報が記録された第２記録媒体の識別情報、第２記録媒体における管理情報のアドレス、及びカートリッジの更新履歴情報を記録してもよい。この場合、記録媒体チェンジャシステムは第３記録再生手段により、第３記録媒体に記録された第２記録媒体の識別情報や第２記録媒体における管理情報のアドレスを再生することができるので、効率的に第２記録媒体にアクセスし、管理情報を取得することができる。
【００１５】
本発明の記録媒体チェンジャシステムにおいて、第１記録媒体は光ディスクであり得る。
【００１６】
本発明の記録媒体チェンジャシステムにおいて、第１記録媒体の管理情報は、複数の第１記録媒体に記録されているファイルを識別するためのファイルＩＤ、ファイル名、当該ファイルが記録されている第１記録媒体の識別情報と当該第１記録媒体におけるアドレス、当該第１記録媒体が格納されているカートリッジ識別情報、及び当該ファイルの履歴情報を含んでもよい。この場合、ファイル名と、当該ファイルが記録されている第１記録媒体の識別情報、当該第１記録媒体におけるアドレス、及び当該第１記録媒体が格納されているカートリッジ識別情報とが対応づけられている。したがって、記録媒体チェンジャシステムは、これらの管理情報を参照することにより、ユーザが指定したファイルに対応する第１記録媒体の記録再生を実行することができる。
【００１７】
本発明の記録媒体チェンジャシステムにおいて、第３記録媒体は非接触で記録再生可能な半導体素子であり、第３記録再生手段は前記半導体素子と通信可能な通信手段をさらに備えてもよい。この場合、カートリッジに設けられた第３記録媒体と第３記録再生手段とを電気的に接続する必要がないため、カートリッジを記録媒体チェンジャシステムに対して自由に脱着することができる。
【００１８】
本発明の記録媒体チェンジャシステムにおいて、第３記録媒体は書き換え可能な記録媒体であってもよい。
【００１９】
本発明の記録媒体チェンジャシステムにおいて、カートリッジには複数の第１記録媒体が格納されてもよい。この場合、複数枚の第１記録媒体を、カートリッジ単位で扱うことにより、大容量記録媒体として利用することができる。
【００２０】
本発明の記録媒体チェンジャシステムにおいて、前記カートリッジが複数装着されてもよい。この場合、記録媒体チェンジャシステム自体の記憶容量を大幅に増大させることができる。
【発明の効果】
【００２１】
本発明によれば、第４記録媒体に第１記録媒体の管理情報が記録されていないか、若しくは記録されている第１記録媒体の管理情報が最新の情報でない場合であっても、記録媒体チェンジャシステムは、第３記録媒体に記録されている第２記録媒体の管理情報に基づいて第２記録媒体にアクセスし、第２記録媒体に記録されている第１記録媒体の管理情報によって、第４記録媒体を更新する。この結果、記録媒体チェンジャシステムは第４記録媒体において更新された複数の第１記録媒体の管理情報に基づいて、第１記録媒体に記録又は再生を実行することができる。したがって、カートリッジに格納されている第１記録媒体の管理情報を持たないか、若しくは持っている第１記録媒体の管理情報が最新の情報ではない記録媒体チェンジャシステムにおいても、そのカートリッジに格納された第１記録媒体の記録再生を行うことができる。
【発明を実施するための最良の形態】
【００２２】
以下に、添付図面を参照して、本発明による実施形態について説明する。なお、本発明は、実施形態に限定されるものではなく、本発明の本質的な範囲を逸脱しない限り、構成の変形・追加・代用が可能であることはもちろんである。
【００２３】
まず、本発明の記録媒体チェンジャシステム１の全体構成について、図１の概略構成図を参照して説明する。記録媒体チェンジャシステム１は、コントローラ５（制御手段）を備えるホストＰＣ２と、チェンジャ装置３とが、汎用インターフェース４を介して接続されることによって構成される。汎用インターフェース４としては例えばＵＳＢやＳＣＳＩ等が挙げられる。汎用インターフェース４を用いているため、チェンジャ装置３はコントローラ５を備えた任意のホストＰＣ２に対して接続することができる。
【００２４】
ホストＰＣ２に備えられるコントローラ５は、ハードディスク装置（以下、ＨＤＤという）６とファイル管理ソフト７（更新手段）とを備え、汎用インターフェース４を介してチェンジャ装置３を制御する。ＨＤＤ６は、後述する光ディスク１１の管理情報等を格納するための記録媒体（第４記録媒体）と、その記録媒体に情報を記録し、記録した情報を再生するドライブユニット（第４記録再生手段）とを備える。ＨＤＤ６の記録媒体には、ファイル管理ソフト７からの命令によりドライブユニットにより情報が記録され、記録された情報はファイル管理ソフト７からの命令にしたがい、ドライブユニットによって読み出される。後述するようにチェンジャ装置３には複数のカートリッジ１０が装着され得るので、ＨＤＤ６は、複数のカートリッジ１０を識別するためのカートリッジ管理テーブルを有する（図１０（Ｂ）参照）。ＨＤＤ６は、カートリッジ管理テーブルの情報を更新することにより、チェンジャ装置３に格納されている複数のカートリッジ１０を識別するためのカートリッジ識別情報及びそのカートリッジ１０に格納される光ディスク１１に情報の記録が行われた日時を示すカートリッジの更新履歴情報（カートリッジの管理情報）を管理している。一方、ファイル管理ソフト７は、ＨＤＤ６に情報の書き込み、読み出し命令を行うとともに、読み出された情報に基づいてチェンジャ装置３を制御するためのプログラムである。ファイル管理ソフト７は、図示しない比較プログラム（比較手段）をさらに備える。比較プログラムは、ＨＤＤ６のカートリッジ管理テーブルにて管理されているカートリッジＩＤと、後述する記憶素子１２（第３記録媒体）に記録されているカートリッジ識別情報、及びカートリッジ管理テーブルにて管理されているカートリッジの更新履歴情報と、記憶素子１２に記録されているカートリッジの更新履歴情報とを比較する。
【００２５】
次にチェンジャ装置３の構成について、図２を参照して説明する。チェンジャ装置３は、コントローラ５の制御によって、特定のカートリッジ１０に格納された所定の光ディスク１１を選択して、その記録再生を実行するための装置であり、主に、複数の光ディスク１１を収容するカートリッジ１０、チェンジャ機構９（交換機構）、光ディスク駆動装置８（第１記録再生手段）、及びＲＦＩＤリーダライタ２３（第３記録再生手段）を備える。さらに、チェンジャ装置３は、情報処理を行うためのデータハンドリング部３１、Ｉｎｄｅｘ管理メモリ３２、及びＣａｓｈ管理メモリ３３を備える（図９参照）。Ｉｎｄｅｘ管理メモリ３２は、チェンジャ装置３内にあるカートリッジ１０の属性等を含む管理情報を集合的に管理するためのメモリである。Ｃａｓｈ管理メモリ３３は、光ディスク駆動装置８で情報を記録・再生する際に、情報処理速度を速めるために使用されるメモリである。
【００２６】
図１では説明上、カートリッジ１０は１つしか示していないが、実際には、図２に示すように、チェンジャ装置３には複数のカートリッジ１０が装着され得る。さらに、１つのカートリッジ１０には、複数の光ディスク１１（第１記録媒体）がそれぞれ、ディスク支持板１１ｂ上に支持されて格納される。
【００２７】
チェンジャ装置３には、複数のカートリッジが積層されている方向（以下、上下方向という）に延在するガイドＧが設けられている。チェンジャ機構９は、ガイドＧにその一端が摺動可能に取り付けられたクランプ移動台９ｃ、クランプ移動台９ｃの下面に設けられた電磁石９ｂ、及び電磁石９ｂの下面に設けられたキャップ９ａを含む。電磁石９ｂ、及びキャップ９ａはクランプ移動台９ｃとともに、ガイドＧに沿って上下方向に移動する。チェンジャ機構９はさらに、ガイドＧに上下方向に摺動可能に取り付けられたローディング機構９ｄを備える。ローディング機構９ｄは、例えば、その一端にディスク支持板１１ｂに引掛けるためのフックを有し、上下方向と直交する方向に伸縮するアーム（不図示）と、アームを伸縮させるためのモータ（不図示）とを備えてもよい。アームのフックをディスク支持板１１ｂに引掛けた状態で、モータによりアームを伸縮させることにより、カートリッジ１０に格納されるディスク支持板１１ｂを取り出し位置Ｐまで移動し、取り出し位置Ｐまで移動したディスク支持板１１ｂをカートリッジ１０に格納する。光ディスク駆動装置８は、チェンジャ機構９によってロードされた光ディスク１１の記録再生を実行するための装置である。光ディスク駆動装置８は主に、その一端がガイドＧに上下方向に摺動可能に取り付けられた移動台８ｄ、移動台８ｄの上面に設けられた光ピックアップ８ｃ、及びスピンドル８ｂ、並びにスピンドル８ｂに同軸上に固定されたターンテーブル８ａから構成される。ターンテーブル８ａ、スピンドル８ｂ、及び光ピックアップ８ｃは、移動台８ｄとともに、ガイドＧに沿って上下方向に移動する。ターンテーブル８ａ上には記録再生される光ディスク１１が保持される。ターンテーブル８ａは、スピンドル８ｂの回転により回転され、ターンテーブル８ａに保持された光ディスク１１は、光ピックアップ８ｃにより情報の記録再生が行われる。チェンジャ機構９、及び光ディスク駆動装置８が、ガイドＧに沿って上下方向に移動することにより、チェンジャ装置３に積層された複数のカートリッジ１０のうち、最下段に配置されたカートリッジ１０Ｘの最下段に格納された光ディスク１１ｘから、最上段に配置されたカートリッジ１０Ｙの最上段に格納された光ディスク１１ｙまでの光ディスク１１について、記録再生することができる。
【００２８】
次に、チェンジャ機構９、及び光ディスク駆動装置８の動作について説明する。コントローラ５から所定の光ディスク１１の記録再生命令があった場合、チェンジャ機構９、及び光ディスク駆動装置８は、ガイドＧに沿って上下方向に移動し、所定の光ディスク１１をカートリッジ１０から取り出せる位置で停止する。チェンジャ機構９、及び光ディスク駆動装置８が停止すると、ローディング機構９ｄは、所定の光ディスク１１が保持されたディスク支持板１１ｂを、所定の光ディスク１１とともに取り出し位置Ｐまで移動する。次に、クランプ移動台９ｃを下方向に移動し、取り出し位置Ｐまで移動した光ディスク１１に、キャップ９ａを接触させる。さらに電磁石９ｂにより光ディスク１１をキャップ９ａに吸引した状態で、クランプ移動台９ｃを上方向に移動することにより、光ディスク１１をディスク支持板１１ｂから剥離する。光ディスク１１が剥離されたディスク支持板１１ｂは、ローディング機構９ｄによってもとのカートリッジ１０に格納される。その後、光ディスク１１をキャップ９ａに吸引した状態で、光ディスク１１が光ディスク駆動装置８のターンテーブル８ａ上に載る位置まで、クランプ移動台９ｃを下方向に移動する。光ディスク１１がターンテーブル８ａ上に載った時点で、電磁石９ｂによる吸引を停止し、クランプ移動台９ｃを上方向に移動する。上記の一連の動作により、所定の光ディスク１１が光ディスク駆動装置８にロードされる。光ディスク駆動装置８のターンテーブル８ａ上に保持された所定の光ディスク１１は、スピンドル８ｂの駆動によって回転するターンテーブル８ａとともに回転し、光ピックアップ８ｃによって情報の記録又は再生が行われる。
【００２９】
図３は、本実施形態のチェンジャ装置３に用いられるカートリッジ１０の外観構成を示す図である。図３に示されるように、カートリッジ１０は、複数の光ディスク１１（第１記録媒体）を格納する格納部１０ａを有し、その側面１０ｂには後述する管理領域特定情報等を記録するための記憶素子１２（第３記録媒体）を備える。
【００３０】
カートリッジ１０に格納される複数の光ディスク１１のうち、特定の光ディスク１１ａ（第２記録媒体）の少なくとも一部の領域は、そのカートリッジ１０に格納される複数の光ディスク１１の管理情報（第１記録媒体の管理情報）を管理するための管理領域として使用される。その他の領域は通常のデータ記録領域として使用し得る。複数の光ディスク１１の管理情報には、図１０（Ｃ）に例示したように、光ディスクに記録されているファイルを識別するためのファイル識別情報、ファイル名、そのファイルが記録されているカートリッジのカートリッジ識別情報、ファイルサイズ、ファイルに含まれる情報が記録されている記録領域（アドレス）情報、及びファイルの更新日時を示す更新履歴情報が含まれる。複数の光ディスク１１の管理情報は、チェンジャ装置３を制御するコントローラ５のＨＤＤ６にも記録されていることが望ましい。コントローラ５のファイル管理ソフト７は、ＨＤＤ６に記録されている管理情報に基づいて、光ディスク１１の記録再生命令を行うからである。光ディスク１１は、特にアーカイブファイルとして保存性、改竄防止効果のあるライトワンス型光ディスク、例えばＣＤ−Ｒを用い得るが、ＤＶＤ−Ｒのような記録書き換え型媒体やＣＤのようなＲＯＭ媒体でもよい。
【００３１】
カートリッジ側面１０ｂに備えられる記憶素子１２（第３記録媒体）としては、この実施形態では、ＲＦＩＤ素子を用いている。ＲＦＩＤ素子１２は電磁気的な結合により後述するＲＦＩＤリーダライタ２３と通信するものであり、ＲＦＩＤリーダライタ２３のアンテナ１５と接触しなくても記録または再生動作が可能である。ＲＦＩＤ素子１２は、主に、ＩＣチップ１２ａ、制御部１２ｂ、及びアンテナ１２ｃから構成される（図４参照）。ＩＣチップ１２ａは実際の記憶領域として機能し、制御部１２ｂは、ＲＦＩＤリーダライタ２３との通信内容の符号化、復号化を行う。アンテナ１２ｃは、ＩＣチップ１２ａに電源を供給するとともに、情報の送受信用のアンテナとして機能する。ＲＦＩＤ素子１２は、接触型の識別装置と比較して信頼性の点で有利であり、また物理的カートリッジ１０に埋め込むことが可能なためカートリッジ１０と一体とした管理が可能になる。本実施形態のカートリッジ１０は図２に示したように、チェンジャ装置３に複数積み重ねられて装着される。そのため、ＲＦＩＤ素子１２は、上下方向に重なる別のカートリッジ１０に設置されたＲＦＩＤ素子１２とのクロストークを避けるため、通信範囲を限定して動作させることが望ましい。クロストークが生じない位置であれば、ＲＦＩＤ素子１２は、例えばカートリッジ１０の側面１０ｂで角に近い位置、或いはカートリッジ上面等さまざまな位置に設置することができる。ＲＦＩＤ素子１２としては、例えば日立マクセル製のコイルオンチップ（登録商標）を用いることができる。
【００３２】
ＲＦＩＤ素子１２には、図１０（Ａ）に示すように、そのＲＦＩＤ素子１２が設置されているカートリッジ１０のカートリッジ識別情報及びＲＦＩＤ素子１２に情報が最後に書き込まれた日時を示す更新履歴情報（カートリッジの管理情報）、並びにカートリッジ１０の特定の光ディスク１１ａにおいて光ディスク１１の管理情報が記録される領域を特定するための情報である管理領域特定情報（第２記録媒体の管理情報）が記録されている。管理領域特定情報とは、具体的には、光ディスク１１の管理情報が記録されている特定の光ディスク１１ａの識別情報（第２記録媒体識別情報）及び特定の光ディスク１１ａにおいて光ディスク１１の管理情報が記録されている管理領域の情報である。これらの情報は、コントローラ５のファイル管理ソフト７がチェンジャ装置３を通じて特定の光ディスク１１ａの管理領域にアクセスするために使用される。
【００３３】
ＲＦＩＤ素子１２に記録されたカートリッジＩＤは、チェンジャ装置３にカートリッジ１０が装着されると、後述するＲＦＩＤリーダライタ２３によって読み出され、ファイル管理ソフト７によってＨＤＤ６のカートリッジ管理テーブルで管理されているカートリッジＩＤと比較される。つまり、そのカートリッジ１０に格納されている複数の光ディスク１１の管理情報が、ＨＤＤ６に存在するか（そのカートリッジ１０が記録媒体チェンジャシステム１の管理対象であるか）を確認するために、ファイル管理ソフト７によって使用される。そしてＨＤＤ６のカートリッジ管理テーブルで管理されているカートリッジＩＤと、ＲＦＩＤ素子１２に記録されたカートリッジＩＤとが一致した場合、ＲＦＩＤ素子１２に記録された更新履歴情報はＲＦＩＤリーダライタ２３によって読み出され、ファイル管理ソフト７によって、ＨＤＤ６に記録されている当該カートリッジの管理情報と比較される。すなわち、ＨＤＤ６に記録された管理情報を更新する必要があるかをファイル管理ソフト７が判断するために使用される。これらの情報が一致しないか、あるいはＨＤＤ６に当該カートリッジ１０の管理情報が存在しなかった場合、ＲＦＩＤ素子１２の管理領域特定情報がＲＦＩＤリーダライタ２３によって読み出される。ファイル管理ソフト７は、管理領域特定情報に基づいて、光ディスク１１ａの管理領域にアクセスし、管理領域に記録されている管理情報を読み出すとともに、そのファイル管理情報をＨＤＤ６に記録する（ＨＤＤ６に記録されているファイル管理情報を更新する）。
【００３４】
次に、ＲＦＩＤ素子１２に対して情報の読み取り／書き込みを行うＲＦＩＤリーダライタ（第３記録再生手段）２３の概略構成について、図４を参照して説明する。ＲＦＩＤリーダライタ２３は、主に、ＲＦＩＤ素子１２と通信するアンテナ１５と、制御部２０とを備える。アンテナ１５はＲＦＩＤ素子１２に電源を供給するとともに情報の送受信を行う。制御部２０は、ＲＦＩＤ素子１２との通信内容の符号化、復号化や、ホストＰＣ２との通信を制御する。
【００３５】
制御部２０は、図示しないアンテナ電源回路と検波回路とをさらに含む。ＲＦＩＤリーダライタ２３は、ＲＦＩＤ素子１２に記録されている情報を読み出すとき、或いは情報を書き込むとき、アンテナ電源回路によってアンテナ１５に電流を供給するとともに、アンテナ１５から情報を含む電波を発信する。ＲＦＩＤ素子のアンテナ１２ｃは、アンテナ１５からの電波を受信し、アンテナ１２ｃの共振作用により起電力が発生する。発生した電力はＩＣチップ１２ａに供給される。またアンテナ１２ｃが受信した情報は、制御部１２ｂによって復号化され、ＩＣチップ１２ａに対して必要な処理が行われる。処理結果は、制御部１２ｂによって符号化され、アンテナ１２ｃから電波として送信される。ＲＦＩＤリーダライタ２３のアンテナ１５が、ＲＦＩＤ素子１２のアンテナ１２ｃから送信された電波を受信すると、制御部２０は復号化を行い、ホストＰＣ２に送信する。
【００３６】
次に、ＲＦＩＤ素子１２に記録された情報を読み取るためのアンテナ１５の設置例について、図５を参照して説明する。図５において、ＲＦＩＤリーダライタのアンテナ１５は、チェンジャ装置３のカートリッジ設置フレーム１３に固定されている。そして、アンテナ１５は、同軸ケーブル等のケーブル１６によりＲＦＩＤリーダライタ２３の制御部２０と接続される。複数のカートリッジ１０がカートリッジ設置フレーム１３に設置されたときに、各カートリッジ１０のＲＦＩＤ素子１２と通信するアンテナ１５はそれぞれ、ＲＦＩＤ素子１２と対向し、且つ他のカートリッジ１０のＲＦＩＤ素子１２とクロストークが生じない位置に配置されている必要がある。
【００３７】
次に、記録媒体チェンジャシステム１において行われるデータ処理の概要について、図９を参照して説明する。図９は、図１、及び図２に示した記録媒体チェンジャシステム１におけるデータの流れを概念的に示すブロック図である。例えば、ユーザにより光ディスク１１に記録するデータが、ホストＰＣ２に入力されると、ホストＰＣ２のコントローラ５はそのデータを、汎用インターフェイス４を介して、チェンジャ装置３のデータハンドリング部３１に送信する。データハンドリング部３１は受信したデータを光ディスク１１に対して記録するよう、光ディスク駆動装置を制御し、光ディスク駆動装置８によってそのデータが、光ディスク１１に記録される。情報の再生においては、光ディスク駆動装置８で再生された光ディスク１１のデータは、データハンドリング部３１に転送され、汎用インターフェイス４を介してホストＰＣ２のコントローラ５に送信される。なお、光ディスク駆動装置８でデータを記録・再生する際に、Ｃａｓｈ管理メモリ３３を用いるとデータ処理速度を速めることができる。
【００３８】
次に、ＲＦＩＤ素子１２に対してデータを記録する際の処理について説明する。例えば、あるカートリッジ１０に格納される特定の光ディスク１１に対して管理情報の更新を行った場合、そのカートリッジ１０に設けられているＲＦＩＤ素子１２に対して、更新履歴を記録する必要が生じる。ＲＦＩＤ素子１２に記録するべきデータがホストＰＣ２のコントローラ５から、汎用インターフェイス４を介してチェンジャ装置３のデータハンドリング部３１に送信されると、データハンドリング部３１は、そのデータをＩｎｄｅｘ管理メモリ３２に記録する。Ｉｎｄｅｘ管理メモリ３２にデータが記録されると、ＲＦＩＤリーダライタ２３はそのデータを読み出し、ＲＦＩＤ素子１２に対して記録する。またこれとは反対に、ＲＦＩＤリーダライタ２３によってＲＦＩＤ素子１２から読み出されたデータは、ＲＦＩＤリーダライタ２３によってＩｎｄｅｘ管理メモリ３２に記録される。Ｉｎｄｅｘ管理メモリ３２に記録されたデータは、データハンドリング部３１によって読み出され、汎用インターフェイス４を介してホストＰＣ２のコントローラ５に送信される。
【００３９】
次に、図１１に示す記録媒体チェンジャシステム１において利用されていたカートリッジ１０が、例えばホストＰＣ２の故障や、ユーザの都合等により、他の記録媒体チェンジャシステム１’において利用される場合の、記録媒体チェンジャシステム１’の動作例を、図６〜８のフローチャートを参照して説明する。
【００４０】
まず、ある記録媒体チェンジャシステム１において利用されており、情報が既に記録されている複数の光ディスク１１を格納したカートリッジ１０が、ユーザによって、他の記録媒体チェンジャシステム１’のチェンジャ装置３’に装着される（ステップＳ６０１）。すると、カートリッジ１０の側面１０ｂに設置されたＲＦＩＤ素子１２とＲＦＩＤリーダライタ２３’が通信を開始し、カートリッジ１０がチェンジャ装置３’に装着されたことがコントローラ５’に認識される（ステップＳ６０２）。
【００４１】
コントローラ５’はカートリッジ１０が装着されたことを認識すると、ＲＦＩＤリーダライタ２３’に対し、ＲＦＩＤ素子１２に記録されているカートリッジ識別情報の取得命令を生成する。ＲＦＩＤリーダライタ２３’はコントローラ５’からの命令に従い、ＲＦＩＤ素子１２に記録されているカートリッジ識別情報を取得する。コントローラ５’は、ＲＦＩＤリーダライタ２３’によって取得されたカートリッジ識別情報を再生し（ステップＳ６０３）、カートリッジ識別情報が、ＨＤＤ６’のカートリッジ管理テーブルに存在するか否かについて、カートリッジ管理テーブルを検索する（ステップＳ６０４）。
【００４２】
カートリッジ識別情報が、ＨＤＤ６’のカートリッジ管理テーブルに存在しないと判断された場合は、カートリッジ１０に格納されている複数の光ディスクの管理情報が、ＨＤＤ６’に存在しないことになる。この場合は、カートリッジ１０の特定の光ディスク１１ａに記録されている光ディスク１１の管理情報を、コントローラ５’のＨＤＤ６’に記録するための動作が行われ、その後ＨＤＤ６’に記録された管理情報を用いて光ディスク１１の記録再生動作が行われる。これらの動作については後述する。
【００４３】
一方、カートリッジ識別情報が、ＨＤＤ６’のカートリッジ管理テーブルに存在すると判断された場合、カートリッジ１０の中の複数の光ディスクの管理情報は、ＨＤＤ６’に存在することになる。この場合、コントローラ５’は、ＨＤＤ６’に存在する管理情報をそのまま使用することができるか否か、すなわち、ＨＤＤ６’に存在する管理情報を、カートリッジ１０の特定の光ディスク１１ａに記録されている管理情報で更新する必要があるか否かを判断する。具体的には、コントローラ５’は、ＲＦＩＤリーダライタ２３’に対し、ＲＦＩＤ素子１２に記録されている履歴情報の取得命令を生成する。ＲＦＩＤリーダライタ２３’はコントローラ５’からの命令に従い、ＲＦＩＤ素子１２に記録されている履歴情報を取得する。コントローラ５’は、ＲＦＩＤリーダライタ２３’によって取得された履歴情報を再生し（ステップＳ６０５）、履歴情報が、カートリッジ管理テーブルに存在するカートリッジ識別情報に対応する履歴情報と一致するか判断する（ステップＳ６０６）。
【００４４】
ＲＦＩＤリーダライタ２３’によって取得された履歴情報が、ＨＤＤ６’のカートリッジ管理テーブルに記録されている履歴情報と一致する場合、ＨＤＤ６’に記録されている光ディスクの管理情報と、カートリッジ１０の特定の光ディスク１１ａに記録されている管理情報とは一致していることになる。したがって、この場合、光ディスク１１の記録再生動作はＨＤＤ６’に記録されている管理情報に基づいて実行される。記録再生動作については後述する。一方、ＲＦＩＤリーダライタ２３’によって取得された履歴情報が、ＨＤＤ６’のカートリッジ管理テーブルに記録されている履歴情報と一致しない場合、コントローラ５’はＲＦＩＤリーダライタ２３’によって取得された履歴情報と、ＨＤＤ６’のカートリッジ管理テーブルの履歴情報のうち、どちらが新しいか判断する（ステップＳ６０７）。
【００４５】
ＨＤＤ６’のカートリッジ管理テーブルの履歴情報が、ＲＦＩＤリーダライタ２３’によって取得された履歴情報よりも新しい場合は、ＨＤＤ６’には、カートリッジ１０の特定の光ディスク１１ａに記録されている管理情報よりも新しい管理情報が記録されていることになる。したがって、この場合、光ディスク１１の記録再生動作はＨＤＤ６’に記録されている管理情報に基づいて実行される。
【００４６】
一方、ＨＤＤ６’のカートリッジ管理テーブルの履歴情報が、ＲＦＩＤリーダライタ２３’によって取得された履歴情報よりも古い（以前に更新されている）場合は、ＨＤＤ６’には、カートリッジ１０の特定の光ディスク１１ａに記録されている管理情報よりも古い管理情報が記録されていることになる。この場合、カートリッジ１０の特定の光ディスク１１ａに記録されている光ディスク１１の管理情報を、ＨＤＤ６’に記録するための動作が行われ、その後ＨＤＤ６’に記録された管理情報を用いて光ディスク１１の記録再生動作が行われる。
【００４７】
ステップＳ６０４に戻って、カートリッジ識別情報がＨＤＤ６’のカートリッジ管理テーブルに存在しなかった場合、また、ステップＳ６０７において、ＨＤＤ６’のカートリッジ管理テーブルの履歴情報がＲＦＩＤリーダライタ２３’によって取得された履歴情報よりも古い場合は、カートリッジ１０の特定の光ディスク１１ａに記録されている光ディスク１１の管理情報を、ＨＤＤ６’に記録するための動作が行われる。この動作について、図７を参照して説明する。
【００４８】
まずコントローラ５’は、ＲＦＩＤリーダライタ２３’に対し、カートリッジ１０に設置されたＲＦＩＤ素子１２に記録されている管理領域特定情報の取得命令を生成する。ＲＦＩＤリーダライタ２３’は、コントローラ５’からの命令に従い、ＲＦＩＤ素子１２に記録されている管理領域特定情報を取得する。コントローラ５’は、ＲＦＩＤリーダライタ２３’によって取得された管理領域特定情報を再生する（ステップＳ６１１）。管理領域特定情報には、複数の光ディスクの管理情報が記録されている特定の光ディスク１１ａの識別情報と、管理情報が記録された記録領域情報（アドレス情報）が含まれる。
【００４９】
続いてコントローラ５’は、チェンジャ装置３’のチェンジャ機構９’に対し、カートリッジ１０を選択するとともに、カートリッジ１０から特定の光ディスク１１ａを選択し、光ディスク駆動装置８’にロードするよう命令する。さらに、コントローラ５’は、光ディスク駆動装置８’に対して、特定の光ディスク１１ａに記録された管理情報の再生命令を生成する。チェンジャ機構９’は、コントローラからの命令に従い、当該カートリッジ１０を選択するとともに、当該カートリッジ１０から特定の光ディスク１１ａを選択し、光ディスク駆動装置８’にロードする。光ディスク駆動装置８’は、特定の光ディスク１１ａがロードされると、コントローラ５’からの命令に従い、特定の光ディスク１１ａに記録された管理情報を再生する（ステップＳ６１２）。ステップＳ６１２で再生された管理情報は、ＨＤＤ６’に記録される（ステップＳ６１３）。
【００５０】
次に、ＨＤＤ６’に記録された管理情報を用いて光ディスク１１の記録再生が行われる際の動作例を、図８を参照して説明する。具体的には、ステップＳ６０６において、ＲＦＩＤリーダライタ２３’によって取得された履歴情報がＨＤＤ６’のカートリッジ管理テーブルに記録されている履歴情報と一致すると判断された後、ステップＳ６０７において、ＨＤＤ６’のカートリッジ管理テーブルの履歴情報がＲＦＩＤリーダライタ２３’によって取得された履歴情報よりも新しいと判断された後、及びステップＳ６１３においてコントローラ５’のＨＤＤ６’に管理情報が記録された後に、ユーザからの指示に従い、光ディスクに対して記録再生を行う際の動作例である。
【００５１】
まずユーザが、ホストＰＣ２’の図示しないユーザインタフェースから、記録再生の対象となるファイルを指定する（ステップＳ６２１）。するとファイル管理ソフト７’は、ＨＤＤ６’の管理情報から、当該指定されたファイルが格納されているカートリッジ識別情報、光ディスク識別情報、及び当該光ディスクにおける記録領域（アドレス）情報を読み出す（ステップＳ６２２）。
【００５２】
ファイル管理ソフト７’は、チェンジャ装置３’のチェンジャ機構９’に対し、ステップＳ６２２で読み出したカートリッジ識別情報に該当するカートリッジ１０から、ステップＳ６２２で読み出した光ディスク識別情報に該当する光ディスク１１を選択し、光ディスク駆動装置８’にロードするよう命令する。さらに、ファイル管理ソフト７’は、光ディスク駆動装置８’に対して、ステップＳ６２２で読み出した光ディスク１１の記録領域に記録されている情報の再生命令を生成する（ステップＳ６２３）。
【００５３】
チェンジャ機構９’は、ファイル管理ソフト７’からの命令に従い、指定されたカートリッジ１０から指定された光ディスク１１を選択し、光ディスク駆動装置８’にロードする。光ディスク駆動装置は光ディスク１１がロードされると、ファイル管理ソフト７’からの命令に従い、選択された光ディスク１１の指定された記録領域に存在するファイルに記録再生を実行する（ステップＳ６２４）。記録再生は、ユーザが図示しないユーザインタフェースを介して、記録媒体チェンジャシステム１’に対して記録再生の終了指示を入力するまで実行される。
【００５４】
ユーザにより、記録再生の終了指示が入力されると（ステップＳ６２５）、ファイル管理ソフト７’は、ＨＤＤ６’の管理情報を更新するとともに、カートリッジ管理テーブルの履歴情報を更新する（ステップＳ６２６）。さらに、ファイル管理ソフト７’は、ステップＳ６２４で記録再生動作が行われたファイルに対応する記録領域や履歴情報を、カートリッジ１０の特定の光ディスク１１ａの所定の領域に記録するよう、光ディスク駆動装置８’に対して命令する。光ディスク駆動装置８’はファイル管理ソフト７’からの命令に従い、当該カートリッジ１０の特定の光ディスク１１ａの所定の領域に、ステップＳ６２４で記録再生動作が行われたファイルに対応する記録領域や履歴情報を記録する（ステップＳ６２７）。
【００５５】
そしてファイル管理ソフト７’は、ＲＦＩＤリーダライタ２３’に対し、ステップＳ６２７において管理情報を記録した特定の光ディスク１１ａの識別情報、及び管理情報が記録された記録領域（アドレス）情報をＲＦＩＤ素子１２に記録するよう命令する。ＲＦＩＤリーダライタ２３’はファイル管理ソフト７’からの命令に従い、ＲＦＩＤ素子１２に対して、管理情報が記録された光ディスク１１ａの識別情報、及び光ディスク１１ａにおいて管理情報が記録されている記録領域情報を記録する（ステップＳ６２８）。
【００５６】
ステップＳ６２６からＳ６２８を実行することにより、ＨＤＤ６’に記録されている管理情報と、カートリッジ１０に格納された特定の光ディスク１１ａの所定の領域に記録されている管理情報とは、最新の状態で一致する（同期をとることができる）。したがって、次回、当該カートリッジ１０の光ディスク１１に記録されているファイルの記録再生を行う際は、コントローラ５’はＨＤＤ６’に記録されている管理情報がそのまま用いられることになる。また、当該カートリッジ１０の特定の光ディスク１１ａには最新の管理情報が記録されているので、当該カートリッジ１０が当該記録媒体チェンジャシステム１’から取り外され、元の記録媒体チェンジャシステム１に装着される場合にも、元の記録媒体チェンジャシステム１は、ステップＳ６１１からＳ６１３を実行することにより、ＨＤＤ６に最新の管理情報を記録することができる。
【００５７】
以上説明した動作により、ＨＤＤ６’に複数の光ディスク１１の管理情報が記録されていないか、若しくは記録されている管理情報が古い場合であっても、ＲＦＩＤ素子１２に記録されている管理領域特定情報に基づいて管理領域にアクセスし、管理領域に記録されている管理情報によって、ＨＤＤ６’を更新することができる。この結果、ファイル管理ソフト７’はＨＤＤ６’において更新された管理情報に基づいて、複数の光ディスクに読み出し、書き込み命令を生成することができる。したがって、カートリッジ１０に格納されている複数の光ディスク１１の管理情報を持たないか、又は古い管理情報しか持たない記録媒体チェンジャシステム１に当該カートリッジ１０が装着された場合においても、当該カートリッジ１０に格納された複数の光ディスク１１の記録再生を行うことができる。
【００５８】
なお、本実施形態において、記録媒体チェンジャシステム１のチェンジャ装置３には、光ディスク駆動装置が１つのみ設けられている構成例を示したが、これに限らず、１つのチェンジャ装置３に複数の光ディスク駆動装置が備えられ、異なる光ディスクを同時に駆動できるように構成されていてもよい。またステップＳ６０７において、コントローラ５’はＲＦＩＤリーダライタ２３’によって取得された更新履歴情報と、ＨＤＤ６’のカートリッジ管理テーブルの更新履歴情報のうち、どちらが新しいか判断する例を示したが、ＨＤＤ６’のカートリッジ管理テーブルの更新履歴が、ＲＦＩＤリーダライタ２３’によって取得された更新履歴よりも所定期間以上古いと判断された場合に、ＨＤＤ６’における複数の光ディスク１１の管理情報を更新してもよい。本実施形態において、光ディスク１１の管理情報が記録される特定の光ディスク１１ａは、その光ディスク１１と同じ種類の記録媒体である必要はない。例えば、特定の光ディスク１１ａにはライトワンス型媒体を用い、その他の光ディスク１１には書き換え型媒体を用いてもよい。光ディスク１１の管理情報には、ユーザ情報が含まれてもよい。また、本実施形態では、ＲＦＩＤ素子１２とＲＦＩＤリーダライタ２３との間で無線通信を行い、情報の記録再生を行う例を示したが、無線通信手段はこれに限られず、例えば赤外線通信等を用いてもよい。
【００５９】
以上、本発明を記録媒体チェンジャシステムに適用した例について説明してきたが、複数の光ディスクに記録される情報の内容は、どのような内容であってもよい。例えば、動画データや音楽データであってもよく、ホストＰＣ等のバックアップデータであってもよい。本発明は記録媒体チェンジャシステムに限らず、可換記録媒体と、その可換記録媒体に記録された情報を再生するホストコンピュータ等のＨＤＤとの間で、同期をとる必要があるシステムであれば、どのようなシステムにも適用することができる。
【図面の簡単な説明】
【００６０】
【図１】本発明の記録媒体チェンジャシステムの概略構成図である。
【図２】本発明のチェンジャ装置の概略構成図である。
【図３】本発明のカートリッジの外観構成図である。
【図４】ＲＦＩＤ素子、及びＲＦＩＤリーダライタの概略構成を示すブロック図である。
【図５】ＲＦＩＤ素子に含まれる管理情報を読み取るためのアンテナの設置例を示す図である。
【図６】ある記録媒体チェンジャシステムで利用されていたカートリッジが、他の記録媒体チェンジャシステムにおいて利用される場合の、他の記録媒体チェンジャシステムの動作例を説明するためのフローチャートである。
【図７】図６のフローチャートの続きを示すフローチャートである。
【図８】図６及び図７のフローチャートの続きを示すフローチャートである。
【図９】記録媒体チェンジャシステム１において行われるデータ処理の概要を説明するためのブロック図である。
【図１０】図１０（Ａ）はＲＦＩＤ素子に記録される情報の項目例を示す図である。図１０（Ｂ）はホストＰＣのＨＤＤで管理されているカートリッジ管理情報の項目例を示す図である。図１０（Ｃ）は光ディスクの管理領域及びホストＰＣのＨＤＤに記録される管理情報の項目例を示す図である。
【図１１】ある記録媒体チェンジャシステムで利用されていたカートリッジが、他の記録媒体チェンジャシステムにおいて利用される場合を説明するための図である。
【符号の説明】
【００６１】
１  記録媒体チェンジャシステム  ２  ホストＰＣ  ３  チェンジャ装置  ５  コントローラ  ６  ＨＤＤ  ７  ファイル管理ソフト  ８光ディスク駆動装置  ９  チェンジャ機構  １０  カートリッジ  １１  光ディスク  １１ａ  特定の光ディスク（管理情報が記録された光ディスク）  １２  ＲＦＩＤ素子  ２３  ＲＦＩＤリーダライタ
【図１】
2008299883.tif 000003
【図２】
2008299883.tif 000004
【図３】
2008299883.tif 000005
【図４】
2008299883.tif 000006
【図５】
2008299883.tif 000007
【図６】
2008299883.tif 000008
【図７】
2008299883.tif 000009
【図８】
2008299883.tif 000010
【図９】
2008299883.tif 000011
【図１０】
2008299883.tif 000012
【図１１】
2008299883.tif 000013